(57)【要約】【課題】構造が簡単で小型で保管品の殺菌状態を良好に維持できる保管装置を提供する。【解決手段】医療器具を収容する収容空間を有する筺体と前記収容空間を殺菌する殺菌装置と開閉可能な前面扉とを備えた保管装置であって、前記収容空間に清浄な空気を吹き出すためのクリーンエア発生装置を設け、該クリーンエア発生装置は、前記収容空間の外部の空気を吸い込んで、加圧して送り出す送風機と、前記送風機の吹き出し側に設けられた高性能塵埃除去フィルタとを備え、前記殺菌装置は紫外光ＬＥＤ有する。【選択図】図１
2016116820.tif 000002
【特許請求の範囲】
【請求項１】
医療器具を収容する収容空間を有する筺体と前記収容空間を殺菌する殺菌装置と開閉可能な前面扉とを備えた保管装置であって、
前記収容空間に清浄な空気を吹き出すためのクリーンエア発生装置を設け、該クリーンエア発生装置は、前記収容空間の外部の空気を吸い込んで、加圧して送り出す送風機と、前記送風機の吹き出し側に設けられた高性能塵埃除去フィルタとを備え、前記殺菌装置は紫外光ＬＥＤを有することを特徴とする医療器具の保管装置。
【請求項２】
前記殺菌装置は前面扉の解放時に前記紫外光ＬＥＤを消灯する切替スイッチを備えることを特徴とする請求項１に記載の医療器具の保管装置。
【請求項３】
前記送風機の吸い込み側に塵埃除去用プレフィルタを設け、前記筺体の下方に空気を排気する開口を設け、前記収容空間上方から高性能塵埃除去フィルタを通した空気を吹き出すことを特徴とする請求項１または２に記載の医療器具の保管装置。
【発明の詳細な説明】
【技術分野】
【０００１】  本発明は医療器具の保管装置に係り、特に病院における殺菌済みや洗浄済みの医療器具の保管に用いる保管装置に関する。
【背景技術】
【０００２】  治療や検査に用いる医療器具や医療部品等は殺菌されて保管されるので、清浄な雰囲気が維持できる保管装置が要求される。そのような保管装置として、内視鏡保管庫がある（例えば、特許文献１）。【０００３】  この特許文献１の内視鏡保管庫は、内視鏡が収容される収容室を具備する内視鏡収容部と、内視鏡収容部を支持する脚部と、収容室で係止された内視鏡を保持する内視鏡保持部と、蒸発した薬剤の蒸気を吸気する吸気口と、吸気口から吸気した蒸気を排出する排出口と、流体管路と、流体管路に設けられた、吸気口から吸気した薬剤の蒸気成分及び匂いを除去するフィルタとを具備する。
【先行技術文献】
【特許文献】
【０００４】
【特許文献１】特開２０１０−１１５２６８号公報
【発明の概要】
【発明が解決しようとする課題】
【０００５】  この従来の保管庫は、薬剤の蒸気成分や匂いを除去するフィルタを備えるものであり、大型で構造がやや複雑である。また、化学成分の除去用には特殊なフィルタが必要であり高価である。薬剤の蒸気成分や匂いは永久に発生するものではなく、一度除去してしまえば、不要となる。そのような場合に、高価なフィルタを使用し続けることはコストアップになる。【０００６】  本発明は上記の課題に鑑みてなされたものであり、構造が簡単で小型で保管品の殺菌状態を良好に維持できる保管装置を提供することを目的とする。
【課題を解決するための手段】
【０００７】  請求項１に記載の発明に係る保管装置は、
医療器具を収容する収容空間を有する筺体と前記収容空間を殺菌する殺菌装置と開閉可能な前面扉とを備えた保管装置であって、
前記収容空間に清浄な空気を吹き出すためのクリーンエア発生装置を設け、該クリーンエア発生装置は、前記収容空間の外部の空気を吸い込んで、加圧して送り出す送風機と、前記送風機の吹き出し側に設けられた高性能塵埃除去フィルタとを備え、前記殺菌装置は紫外光ＬＥＤを有することを特徴とする。【０００８】  請求項２に記載の発明に係る保管装置は、請求項１に記載の保管装置において、記殺菌装置は前面扉の解放時に前記紫外光ＬＥＤを消灯する切替スイッチを備えることを特徴とする。【０００９】  請求項３に記載の発明に係る保管装置は、請求項１または２に記載の保管装置において、
前記送風機の吸い込み側に塵埃除去用プレフィルタを設け、前記筺体の下方に空気を排気する開口を設け、前記収容空間上方から高性能塵埃除去フィルタを通した空気を吹き出すことを特徴とする。
【発明の効果】
【００１０】  本発明の医療器具の保管装置によれば、構造が簡単で小型で医療器具の殺菌状態を良好に維持することができる。菌が空気中に存在しても紫外光ＬＥＤにより保管装置の中は無菌にされる。【００１１】  本発明の請求項２に記載の保管装置によれば、扉の解放時に紫外線使用の殺菌灯を消灯するので、目に悪影響を及ぼすことなく医療器具の殺菌状態を維持することができる。【００１２】  本発明の請求項３に記載の保管装置によれば、クリーンエアを収容空間全体の殺菌状態を維持することができる。
【図面の簡単な説明】
【００１３】
【図１】本発明の保管装置の一部破断した正面図である。
【図２】その電源回路を示すブロック図である。
【図３】そのクリーンエア発生装置の断面図である。
【発明を実施するための形態】
【００１４】  次に、本発明の実施の形態について、図面を参照しながら説明する。
【００１５】  この実施の形態の保管装置１は、医療器具を収容する収容空間２を有する筺体３と収容空間２を照明する殺菌装置４と開閉可能な前面扉５、５とクリーンエア発生装置６とを備える。
【００１６】  筺体３は、概略鋼板から直方体形に形成され、前面が開放し、他の５面は密閉構造をなし、内部に収容空間２を形成している。そして、筺体３の天井部にクリーンエア発生機構であるクリーンエア発生装置６を設け、前面に開閉扉５，５を開閉自在に設けている。また、収容空間２には、器具置き台２１を設け、医療器具Ｍの設置、取り出しが容易なようにしている。筺体３の下方、この実施の形態では、底部に空気を排気する開口３ａを設けている。この開口３ａは、収容空間２が正圧を保てるように小さく、かつ、多すぎない数にしている。この開口３ａの全開口の面積が大きいと前扉５を閉めた状態でも収容空間２を十分な正圧に維持できない。前面扉５は、保管する医療器具の出し入れが容易なように観音開きとしている。そして、一方の前面扉５を閉めた時に接触して後退し、前面扉５を開けたとき前進して動作する切替スイッチ７を筺体３の前面に位置させている。
【００１７】  ＬＥＤ殺菌装置４は、３６０〜４２０ｎｍの紫外光を放射する紫外光ＬＥＤ４１と紫外光を拡散する拡散板４２と駆動回路４３を備えている。駆動回路４３は、図２に示すように、交／直変換回路４３ａと切替スイッチ７と紫外光ＬＥＤ４１を点灯させるＬＥＤ駆動回路４３ｂとを備えている。拡散板４２は収容空間２を無菌状態に維持して保管する医療器具Ｍを無菌状態に維持できるようにしている。すなわち、紫外光を効率よく照射し、不要な方向に照射しないようにしている。
【００１８】  交／直変換回路４３ａは、通常の商用電源４４（例えばＡＣ１００Ｖ）を直流電源に変換するダイオードブリッジなどを用いる。ＬＥＤ駆動回路４３ｂは、抵抗をＬＥＤに直列接続する簡単な構成であってもよいし、ＩＣ化された公知の定電流駆動回路で構成することもできる。
【００１９】  この実施の形態の保管装置１の照明は、紫外光ＬＥＤ４１を点灯しないときは、白色ＬＥＤ４６を点灯する。そのため、ＬＥＤ駆動回路４５を備え、切替スイッチ７に接続している。
【００２０】  クリーンエア発生装置６は、送風機８と高性能塵埃除去フィルタ（以下、単に高性能フィルタとも言う）９と塵埃除去用プレフィルタ（以下、単にプレフィルタとも言う）１０と両端が開放した角筒本体６１と備える。角筒本体６１は上方に空気を取り入れる開口６１ａを有し、下方に空気を排気する開口６１ｂを有している。送風機８は、直方体状の空間内の両フィルタ９、１０に囲まれて取り付けられている。送風機８としては、構造が簡単で安価に入手できる軸流ファンを用いる。
【００２１】  高性能フィルタ９としては、ＪＩＳ規格で０．３μｍの除去率９９．９７％、初期圧力損失２４５Ｐａ以下の性能のＨＥＰＡフィルタを使用する。高性能フィルタ９は、側面部９ａと底面部９ｂとから直方体状に形成されている。このようにフィルタ面を立体的に形成することで表面積を大きくし、圧力損失を小さくして送風機の負荷を小さくする。
【００２２】  プレフィルタ１０としては、ＨＥＰＡフィルタよりは性能は劣るが、塵埃を除去することができる、市販されているフィルタを使用することができる。フィルタ９，１０の材質としては、天然繊維、プラスチック、ガラス等が使用でき、特に制限されない。
【符号の説明】
【００２３】１  保管装置
２  収容空間
３  筺体
４  殺菌装置
５  前面扉
６  クリーンエア発生装置
７  切替スイッチ
８  送風機
９  高性能塵埃除去フィルタ
１０  塵埃除去用プレフィルタ
【図１】
2016116820.tif 000003
【図２】
2016116820.tif 000004
【図３】
2016116820.tif 000005